(57)【特許請求の範囲】
【請求項１】
折板屋根上の雪の滑落を防止する雪止め部と、前記折板屋根のハゼ部に係合し前記雪止め部をこの折板屋根上に固設するハゼ係合部とを備えた一対の雪止め金具半体から成り、前記一対の雪止め金具半体の前記ハゼ係合部同士を突き合わせ係合して前記ハゼ部に挟着することで前記雪止め部を前記折板屋根の山部の左右両側に夫々配設固定するように構成した折板屋根用雪止め金具であって、前記一対の雪止め金具半体は、夫々、一枚の板材を折曲して前記雪止め部と前記ハゼ係合部とを一体成形した構成とし、前記雪止め部は、前記板材を前記山部の傾斜部に沿設するように外方に向かって下がり傾斜状に折曲して傾斜状板部を形成するとともに、この傾斜状板部の幅方向端部を立ち起こし折曲して雪止め用羽根板部を形成した構成とし、前記雪止め金具半体の夫々のハゼ係合部は、前記雪止め部の傾斜状板部と連設し折板屋根の山部の水平頂部に係合する水平状態の水平状板部の先端側となる対向内側に延設する板材を上方側に折り返し折曲して前記ハゼ部に当接するハゼ当接部を形成するとともに、このハゼ当接部を形成した後対向外側に折り返した折返し板部の先端側を立ち起こし折曲して側壁部を形成し、この側壁部に締め付け具であるボルトを挿通するボルト挿通孔を設けた構成とし、且つ、前記一対の雪止め金具半体の一方のハゼ係合部は、前記側壁部の先端部に摺動案内板部を対向内側に向かって水平突出状態に設けた構成とし、他方のハゼ係合部は、前記側壁部の先端部に延設する板材を対向内側に折曲して天面部を形成するとともに、この天面部の先端部を下方に向けて折曲して前記一方の雪止め金具半体の側壁部と当接係合する当接係合片部を形成した構成とし、且つ、この当接係合片部と前記天面部との境界付近に前記一方の雪止め金具半体に設けた前記摺動案内板部を挿入する挿入孔を設けた構成として、前記摺動案内板部を前記挿入孔に挿入すると共に、前記一対の雪止め金具半体同士を前記折板屋根のハゼ部を挟み込むように突き合わせ状態にしてこの折板屋根上に配設し、連通状態となった前記ボルト挿通孔に前記ボルトを挿通し前記締め付け具であるナットを螺着して、このナットを締め付けてゆくと、前記一対の雪止め金具半体同士が、前記摺動案内板部と前記天面部との相対摺動移動及び前記水平状板部が前記折半屋根の山部の水平頂部に対して摺動移動することによって互いに相対接近移動し、前記ハゼ当接部が前記ハゼ部に当接し、前記ナットの締め付けによりこのハゼ当接部が前記ハゼ部を挟着して夫々の前記ハゼ係合部が前記折板屋根の前記ハゼ部に係止し、このハゼ係合部に連設する前記雪止め部が前記折板屋根の山部の傾斜部に沿設状態に固設される構成としたことを特徴とする折板屋根用雪止め金具。
【請求項２】
前記雪止め部は、前記傾斜状板部の幅方向両端部を夫々立ち起こし折曲して、一方の立ち起こし片を前記雪止め用羽根板部とし、他方の立ち起こし片を補強板部とした構成としたことを特徴とする請求項１記載の折板屋根用雪止め金具。
【請求項３】
前記摺動案内板部を複数設けるとともに、この摺動案内板部を挿入する前記挿入孔を複数設けた構成としたことを特徴とする請求項１，２のいずれか１項に記載の折板屋根用雪止め金具。
【請求項４】
前記雪止め用羽根板部は、板面に複数の貫通孔を穿孔した構成としたことを特徴とする請求項１〜３のいずれか１項に記載の折板屋根用雪止め金具。
【発明の詳細な説明】
【技術分野】
【０００１】
本発明は、ハゼ式折板屋根への設置に適した雪止め金具に関するものである。
【背景技術】
【０００２】
従来のハゼ式折板屋根用の雪止め金具としては、例えば、下記特許文献１がある。
【０００３】
この特許文献１の雪止め金具は、補強羽部付き雪止め体の裏面に、細長孔を付する一対のはぜ取付け体をセットし、ボルトを下側はぜ取付け体に固着し、上側はぜ取付け体の細長孔及び雪止め体の貫通孔に貫通せしめ、ナットを螺着して組み立てたものであり、ナットを締め付けることによって、はぜ取付け体がはぜ部の外側面を押圧挟着すると同時に、雪止め体の裏面に密着して折板屋根に強固に固着するように構成されたものである。
【先行技術文献】
【特許文献】
【０００４】
【特許文献１】特許第２６０４３４６号公報
【発明の概要】
【発明が解決しようとする課題】
【０００５】
しかしながら、特許文献１に示すような従来の雪止め金具は、多数の部品を組み付けて成る構成とされているために、組み立て・設置作業に工数が掛かるうえ、小さな部品同士を組み付ける作業は厄介な作業であり、非常に作業性が悪かった。
【０００６】
本発明は、上述のような従来のハゼ式折板屋根用の雪止め金具の現状に鑑み、雪止め金具の構成部品の点数が少なく、厄介な組み付け作業が無く、容易に折板屋根に設置することができる画期的なハゼ式折板屋根用の雪止め金具を提供することを目的とする。
【課題を解決するための手段】
【０００７】
添付図面を参照して本発明の要旨を説明する。
【０００８】
折板屋根１上の雪の滑落を防止する雪止め部２と、前記折板屋根１のハゼ部３に係合し前記雪止め部２をこの折板屋根１上に固設するハゼ係合部４とを備えた一対の雪止め金具半体５から成り、前記一対の雪止め金具半体５の前記ハゼ係合部４同士を突き合わせ係合して前記ハゼ部３に挟着することで前記雪止め部２を前記折板屋根１の山部の左右両側に夫々配設固定するように構成した折板屋根用雪止め金具であって、前記一対の雪止め金具半体５は、夫々、一枚の板材を折曲して前記雪止め部２と前記ハゼ係合部４とを一体成形した構成とし、前記雪止め部２は、前記板材を前記山部の傾斜部に沿設するように外方に向かって下がり傾斜状に折曲して傾斜状板部６を形成するとともに、この傾斜状板部６の幅方向端部を立ち起こし折曲して雪止め用羽根板部７を形成した構成とし、前記雪止め金具半体５の夫々のハゼ係合部４は、前記雪止め部２の傾斜状板部６と連設し折板屋根１の山部の水平頂部に係合する水平状態の水平状板部８の先端側となる対向内側に延設する板材を上方側に折り返し折曲して前記ハゼ部３に当接するハゼ当接部９を形成するとともに、このハゼ当接部９を形成した後対向外側に折り返した折返し板部16の先端側を立ち起こし折曲して側壁部17を形成し、この側壁部17に締め付け具12であるボルト12Ａを挿通するボルト挿通孔18を設けた構成とし、且つ、前記一対の雪止め金具半体５の一方のハゼ係合部４は、前記側壁部17の先端部に摺動案内板部10を対向内側に向かって水平突出状態に設けた構成とし、他方のハゼ係合部４は、前記側壁部17の先端部に延設する板材を対向内側に折曲して天面部14を形成するとともに、この天面部14の先端部を下方に向けて折曲して前記一方の雪止め金具半体５の側壁部17と当接係合する当接係合片部19を形成した構成とし、且つ、この当接係合片部19と前記天面部14との境界付近に前記一方の雪止め金具半体５に設けた前記摺動案内板部10を挿入する挿入孔11を設けた構成として、前記摺動案内板部10を前記挿入孔11に挿入すると共に、前記一対の雪止め金具半体５同士を前記折板屋根１のハゼ部３を挟み込むように突き合わせ状態にしてこの折板屋根１上に配設し、連通状態となった前記ボルト挿通孔18に前記ボルト12Ａを挿通し前記締め付け具12であるナット12Ｂを螺着して、このナット12Ｂを締め付けてゆくと、前記一対の雪止め金具半体５同士が、前記摺動案内板部10と前記天面部14との相対摺動移動及び前記水平状板部８が前記折半屋根１の山部の水平頂部に対して摺動移動することによって互いに相対接近移動し、前記ハゼ当接部９が前記ハゼ部３に当接し、前記ナット12Ｂの締め付けによりこのハゼ当接部９が前記ハゼ部３を挟着して夫々の前記ハゼ係合部４が前記折板屋根１の前記ハゼ部３に係止し、このハゼ係合部４に連設する前記雪止め部２が前記折板屋根１の山部の傾斜部に沿設状態に固設される構成としたことを特徴とする折板屋根用雪止め金具に係るものである。
【０００９】
また、前記雪止め部２は、前記傾斜状板部６の幅方向両端部を夫々立ち起こし折曲して、一方の立ち起こし片を前記雪止め用羽根板部７とし、他方の立ち起こし片を補強板部13とした構成としたことを特徴とする請求項１記載の折板屋根用雪止め金具に係るものである。
【００１０】
また、前記摺動案内板部10を複数設けるとともに、この摺動案内板部10を挿入する前記挿入孔11を複数設けた構成としたことを特徴とする請求項１，２のいずれか１項に記載の折板屋根用雪止め金具に係るものである。
【００１１】
また、前記雪止め用羽根板部７は、板面に複数の貫通孔15を穿孔した構成としたことを特徴とする請求項１〜３のいずれか１項に記載の折板屋根用雪止め金具に係るものである。
【発明の効果】
【００１２】
本発明は上述のように構成したから、雪止め金具を構成する部品点数が少なく、よって、厄介な組み付け作業も無く、容易に折板屋根に設置することができる画期的なハゼ式折板屋根用雪止め金具となる。
【００１３】
即ち、本発明の折板屋根用雪止め金具は、一対の雪止め金具半体のわずか２パーツで構成されており、この一対の雪止め金具半体を折板屋根のハゼ部を挟み込むように突き合わせ状態にしてこの折板屋根上に配設して、締め付け具で締め付けてゆくだけの極めて簡単な作業で容易に折板屋根に強固に固定した状態で設置することができ、しかも、ハゼ部に挟着するハゼ係合部と雪を堰き止める雪止め部とを一枚の板材を折曲して一体成形したから、このハゼ係合部と雪止め部とが強固に連設されており、雪止め部に雪による大きな押圧力が作用しても、この押圧力に対して十分な耐性を発揮し、耐久性にも優れた画期的な折板屋根用雪止め金具となる。
【００１４】
また、請求項２記載の発明においては、雪止め部の雪の押圧力に対する耐久性が向上し一層実用性に優れた折板屋根用雪止め金具となる。
【００１５】
また、請求項３記載の発明においては、雪止め金具半体同士の相対接近移動が一層スムーズに行われるようになり、従って、より一層設置作業が容易となって作業性が向上する画期的な折板屋根用雪止め金具となる。
【００１６】
また、請求項４記載の発明においては、雪止め部で堰き止めた雪の融雪によって生じる水をこの雪止め部で堰き止めずに流出させることができ、これにより、雪止め部に作用する負荷が軽減されるとともに、堰止める雪の重量も増大せず、折板屋根に掛かる負荷も軽減される一層実用性に優れた折板屋根用雪止め金具となる。
【図面の簡単な説明】
【００１７】
【図１】本実施例を示す斜視図である。
【図２】本実施例を示す説明分解斜視図である。
【図３】本実施例の第一雪止め金具半体と第二雪止め金具半体の展開図である。
【図４】本実施例の要部を示す説明図である。
【図５】本実施例の使用状態を示す正面図である。
【発明を実施するための形態】
【００１８】
好適と考える本発明の実施形態を、図面に基づいて本発明の作用を示して簡単に説明する。
【００１９】
一方の雪止め金具半体５を折板屋根１の山部の左右いずれか一側に配設し、他方の雪止め金具半体５を他側に配設するとともに、一方の雪止め金具半体５に設けた摺動案内板部10を他方の雪止め金具半体５に設けた挿入孔11に挿入して、一対の雪止め金具半体５を折板屋根１のハゼ部３を挟み込むように突き合わせ状態にしてこの折板屋根１上に配設し、一対の雪止め金具半体５に設けた締め付け具12であるボルト12Ａ，ナット12Ｂを締め付けてゆくと、摺動案内板部10の摺動案内によって一対の雪止め金具半体５同士が互いに相対接近移動し、夫々の雪止め金具半体５に設けたハゼ当接部９がハゼ部３に当接するとともに、このハゼ部３を挟着してハゼ係合部４が折板屋根１のハゼ部３に係止し、このハゼ係合部４がハゼ部３に係止することで、このハゼ係合部４と一体に形成した雪止め部２が折板屋根１の山部の傾斜部に沿設状態に固設される。
【００２０】
そして、この雪止め部２の傾斜状板部６に立ち起こし折曲により形成した雪止め用羽根板部７が折板屋根１の谷部側に突出し、この谷部に積もった雪の滑動を堰き止め、折板屋根１からの雪の滑落を防止する。
【００２１】
このように、本発明の折板屋根用雪止め金具は、一対の雪止め金具半体５のわずか２パーツで構成されており、この一対の雪止め金具半体５を折板屋根１のハゼ部３を挟み込むように突き合わせ状態にして折板屋根１上に配設して、締め付け具12であるボルト12Ａ，ナット12Ｂで締め付けてゆくだけの極めて簡単な作業で容易に折板屋根１に強固に固定した状態で設置することができ、しかも、ハゼ部３に挟着するハゼ係合部４と雪を堰き止める雪止め部２とを一枚の板材を折曲して一体成形したから、このハゼ係合部４と雪止め部２とが強固に連設されており、雪止め部２に雪による大きな押圧力が作用しても、この押圧力に対して十分な耐性を発揮し、耐久性にも優れた画期的な折板屋根用雪止め金具となる。
【実施例】
【００２２】
本発明の具体的な実施例について図面に基づいて説明する。
【００２３】
本実施例は、図１に示すように、折板屋根１上の雪の滑落を防止する雪止め部２と、前記折板屋根１のハゼ部３に係合し前記雪止め部２をこの折板屋根１上に固設するハゼ係合部４とを備えた一対の雪止め金具半体５から成り、前記一対の雪止め金具半体５の前記ハゼ係合部４同士を突き合わせ係合して前記ハゼ部３に挟着することで前記雪止め部２を前記折板屋根１の山部の左右両側に夫々配設固定するように構成した折板屋根用雪止め金具である。
【００２４】
具体的には、本実施例の折板屋根用雪止め金具は、図２に示すように、摺動案内板部10を有する第一雪止め金具半体５Ａと、この摺動案内板部10を挿入する挿入孔11を有する第二雪止め金具半体５Ｂとから成る構成としている。
【００２５】
また、これら第一雪止め金具半体５Ａ、第二雪止め金具半体５Ｂは、夫々、一枚の板材を折曲して雪止め部２とハゼ係合部４とを一体成形した構成としている。
【００２６】
即ち、本実施例の折板屋根用雪止め金具は、所定形状に形成した一枚の板材を折曲して形成した第一雪止め金具半体５Ａと第二雪止め金具半体５Ｂとのわずか２パーツで構成されるものである。
【００２７】
以下、本実施例に係る構成各部（第一雪止め金具半体５Ａ及び第二雪止め金具半体５Ｂ）について詳細に説明する。
【００２８】
本実施例の第一雪止め金具半体５Ａは、図３（ａ）に示す所定形状に形成した一枚の金属板材を、第二雪止め金具半体５Ｂは、図３（ｂ）に示す所定形状に形成した一枚の金属板材を夫々折曲して形成した構成としている。
【００２９】
具体的には、第一雪止め金具半体５Ａ，第二雪止め金具半体５Ｂの雪止め部２は、夫々、金属板材の下部側（図３中の折曲部Ａよりも下方側の雪止め部形成展開板部）を、折板屋根１の山部の傾斜部に沿設するように、後述するハゼ係合部４を構成する水平状態の水平状板部８に対して折曲部Ａを外方に向かって下がり傾斜状となるように折曲して、図２に示す傾斜状板部６を形成するとともに、この傾斜状板部６の幅方向一側端部を折曲部Ｂに沿って立ち起こし折曲して雪止め用羽根板部７を形成した構成としている。
【００３０】
また更に、本実施例の雪止め部２は、傾斜状板部６の幅方向他側端部（雪止め用羽根板部７の対向側）を折曲部Ｃに沿って立ち起こし折曲して雪止め用羽根板部７と対向状態に補強板部13を形成した構成としている。
【００３１】
即ち、本実施例は、傾斜状板部６の幅方向両端部を夫々立ち起こし折曲して雪止め部２を断面視略コ字状に形成した構成として、傾斜状板部６の長さ方向に対する強度（耐久性）を向上させて、雪圧による変形が起こりにくい構成としている。
【００３２】
また、本実施例は、雪止め用羽根板部７を形成する際、折曲部Ｂを内側に向かって傾斜状に設け、傾斜状板部６の端部をこの折曲部Ｂに沿って折曲することで、雪止め用羽根板部７の形状を末広がり形状に形成し、板材自体の面積を広げることなく雪止め用羽根板部７の面積を広くできるようにしている。
【００３３】
また、本実施例の雪止め用羽根板部７は、板面に複数の貫通孔15を穿孔した構成としている。
【００３４】
即ち、本実施例の雪止め用羽根板部７は、板面に貫通孔15を設けることによって、この雪止め用羽根板部７で堰き止めた雪の融雪によって生じる水等を、この雪止め用羽根板部７で堰き止めずにこの貫通孔15から流出させることができるように構成して、この雪止め用羽根板部７で受け止める雪などの重量を軽減し、雪止め部２に作用する負荷が軽減されるように構成している。
【００３５】
また、第一雪止め金具半体５Ａ，第二雪止め金具半体５Ｂのハゼ係合部４は、夫々、図３，４に示すように、雪止め部２の傾斜状板部６と連設し折板屋根１の山部の水平頂部に係合する水平状態の水平状板部８の先端側（対向内側）に延設する板材の折曲部Ｄ，Ｅを上方側に折り返し折曲してハゼ部３に当接するハゼ当接部９を形成するとともに、この対向外側に折り返した折返し板部16の先端側を折曲部Ｆに沿って立ち起こし折曲して側壁部17を形成した構成としている。
【００３６】
また更に、本実施例の側壁部17は、第一雪止め金具半体５Ａと第二雪止め金具半体５Ｂとの突き合わせ係合を保持するための締め付け具12としてのボルト12Ａを挿通するボルト挿通孔18を設けた構成としている。
【００３７】
また、第一雪止め金具半体５Ａのハゼ係合部４は、側壁部17の先端部に、対向内側に向けて摺動案内板部10を突設した構成とし、本実施例においては、側壁部17の先端部に対称的に配置した二本の突出片を折曲部Ｇに沿って対向内側に折曲して向けて摺動案内板部10を形成した構成としている。
【００３８】
より具体的には、各摺動案内板部10は、夫々、先端部を下がり傾斜状に折曲した鉤状に形成し、互いに平行で、対向内側に向かって水平突出状態に設けている。
【００３９】
即ち、本実施例は、この摺動案内板部10を複数設けたこと構成とすることで、この摺動案内板部10の摺動案内による第一雪止め金具半体５Ａと第二雪止め金具半体５Ｂとの接離移動をガタツキや引っ掛かりのないスムーズな移動が行える構成としている。
【００４０】
また、第二雪止め金具半体５Ｂのハゼ係合部４は、側壁部17の先端部に延設する板材を折曲部Ｈに沿って対向内側に折曲して天面部14を形成するとともに、この天面部14の先端部を折曲部Ｉに沿って下方に向けて折曲して第一雪止め金具半体５Ａの側壁部17と当接係合する当接係合片部19を形成した構成とし、更に、この当接係合片部19の天面部14境界付近に第一雪止め金具半体５Ａに設けた二本の摺動案内板部10を挿入する二つの挿入孔11を設けた構成としている。
【００４１】
即ち、本実施例は、第一雪止め金具半体５Ａの摺動案内板部10をこの第二雪止め金具半体５Ｂの挿入孔11に挿入すると、摺動案内板部10が第二雪止め金具半体５Ｂの天面部14の裏面に摺動係合する構成とし、第一雪止め金具半体５Ａと第二雪止め金具半体５Ｂとが接離移動する際、この摺動案内板部10に沿って天面部14が相対摺動移動することにより第一雪止め金具半体５Ａと第二雪止め金具半体５Ｂとがスムーズに相対接離移動するように構成している。
【００４２】
本実施例の折板屋根用雪止め金具は上述のように構成したから、折板屋根１に設置する際、第一雪止め金具半体５Ａを折板屋根１の山部の左右いずれか一側に配設し、第二雪止め金具半体５Ｂを他側に配設するとともに、第一雪止め金具半体５Ａに設けた摺動案内板部10を第二雪止め金具半体５Ｂに設けた挿入孔11に挿入して、この第一雪止め金具半体５Ａと第二雪止め金具半体５Ｂとを、折板屋根１のハゼ部３を挟み込むように突き合わせ状態にしてこの折板屋根１上に配設し、突き合わせにより連通状態となった各雪止め金具半体５Ａ，５Ｂに設けたボルト挿通孔18にボルト12Ａを挿通しナット12Ｂを螺着して、このナット12Ｂを締め付けてゆくと、このボルト12Ａとナット12Ｂとが夫々の側壁部17を外方から押圧し、この押圧により第一雪止め金具半体５Ａと第二雪止め金具半体５Ｂとが摺動案内板部10と天面部14との摺動によってスムーズに互いに相対接近移動し、図５に示すように、この相対接近移動により第一雪止め金具半体５Ａ、第二雪止め金具半体５Ｂの夫々に設けたハゼ当接部９がハゼ部３に当接し、ナット12Ｂの締め付けによりこのハゼ当接部９がハゼ部３を挟着して各ハゼ係合部４が折板屋根１のハゼ部３に係止し、このハゼ係合部４がハゼ部３に係止することで、このハゼ係合部４に連設する雪止め部２が折板屋根１の山部の傾斜部に沿設状態に固設される。
【００４３】
そして、この雪止め部２の傾斜状板部６に立ち起こし折曲により形成した雪止め用羽根板部７が折板屋根１の谷部側に突出し、この谷部に積もった雪の滑動を堰き止め、折板屋根１からの雪の滑落を防止することとなる。
【００４４】
このように、本実施例の折板屋根用雪止め金具は、一対の雪止め金具半体５、即ち夫々一枚の板材を折曲して形成した第一雪止め金具半体５Ａ、第二雪止め金具半体５Ｂのわずか２パーツで構成されており、この第一雪止め金具半体５Ａ、第二雪止め金具半体５Ｂを折板屋根１のハゼ部３を挟み込むように突き合わせ状態にしてこの折板屋根１上に配設して、締め付け具12であるボルト12Ａ、ナット12Ｂで締め付けてゆくだけの極めて簡単な作業で容易に折板屋根１に強固に固定した状態で設置することができ、しかも、ハゼ部３に挟着するハゼ係合部４と雪を堰き止める雪止め部２とを一枚の板材を折曲して一体成形したから、このハゼ係合部４と雪止め部２とが強固に連設されており、雪止め部２に雪による大きな押圧力が作用しても、この押圧力に対して十分な耐性を発揮し、耐久性にも優れた画期的な折板屋根用雪止め金具となる。
【００４５】
尚、本発明は、本実施例に限られるものではなく、各構成要件の具体的構成は適宜設計し得るものである。
【符号の説明】
【００４６】
１  折板屋根
２  雪止め部
３  ハゼ部
４  ハゼ係合部
５  雪止め金具半体
６  傾斜状板部
７  雪止め用羽根板部
８  水平状板部
９  ハゼ当接部
10  摺動案内板部
11  挿入孔
12  締め付け具
12Ａ ボルト
12Ｂ ナット
13  補強板部
14  天面部
15  貫通孔
16 折り返し板部
17 側壁部
18 ボルト挿通孔
19 当接係合片部
【図１】
0005878191.tif 000002
【図２】
0005878191.tif 000003
【図３】
0005878191.tif 000004
【図４】
0005878191.tif 000005
【図５】
0005878191.tif 000006